(57)【要約】【課題】従来の映像表示装置では、スクリーンフレームに固定された化粧パネルが複数の模様を有していたため、映像表示装置を見る者に煩雑な感じを与えると共に、デザインの自由度を妨げる要因にもなっている。【解決手段】スクリーン４の周囲の少なくとも一部を覆うスクリーンフレーム５を備え、そのスクリーンフレームの少なくとも一部に凹部の集合からなる微細孔模様２２を設けた映像表示装置に関する。微細孔模様２２を構成する微細孔２１の１又は２以上にガイドライト３１〜３３を埋め込むと共に、そのガイドライトの先端面をスクリーンフレームの表面と同一面に形成し、そのガイドライトを模様の一部に埋没させるようにした。【選択図】図３
2008148157.tif 000002
【特許請求の範囲】
【請求項１】
映像表示部の周囲の少なくとも一部を覆う表示パネルを備え、
前記表示パネルの少なくとも一部に凹部の集合からなる模様を設けた映像表示装置において、
前記模様を構成する凹部の１又は２以上に発光表示部を埋め込むと共に、当該発光表示部の先端面を前記表示パネルの表面と同一面に形成し、当該発光表示部を当該模様の一部に埋没させるようにした
ことを特徴とする映像表示装置。
【請求項２】
前記凹部は、前記映像表示装置に設けられたスピーカ装置から放出される音を通過させるための微細孔である
ことを特徴とする請求項１記載の映像表示装置。
【請求項３】
前記発光表示部の複数個を、透明な樹脂材料によって形成された１枚の導光板に一体に設けた
ことを特徴とする請求項１記載の映像表示装置。
【請求項４】
前記表示パネルに、複数の発光表示部を有する導光板が取り付けられる導光板取付部を設け、
前記導光板取付部には、前記多数の発光表示部の隣り合う発光表示部間を仕切る遮光部を設けた
ことを特徴とする請求項１記載の映像表示装置。
【請求項５】
前記発光表示部は、光が入射される受光部の面積よりも光が出射される発光部の面積を小さく形成すると共に、当該発光部と当該受光部との間にテーパ部を設けた
ことを特徴とする請求項１記載の映像表示装置。
【請求項６】
前記発光表示部の先端面を梨地仕上げにより艶消し面として形成した
ことを特徴とする請求項１記載の映像表示装置。
【発明の詳細な説明】
【技術分野】
【０００１】
本発明は、液晶ディスプレイやプラズマディスプレイ、ブラウン管ディスプレイ等の平面状に展開された表示パネルを備えたリアプロジェクションテレビ、液晶テレビ、プラズマテレビ、ブラウン管テレビ等の映像表示装置に関するものである。
【背景技術】
【０００２】
従来の、この種の映像表示装置としては、例えば、特許文献１に記載されているようなものがある。特許文献１には、音質の向上を図ることができる機器の音響装置に関するものが記載されている。この特許文献１に記載された機器の音響装置は、「低域用スピーカと高域用スピーカを備えている機器の音響装置において、機器のケーシングの一部を形成しており、複数の穴を有するパネル部と、低域用スピーカとパネル部の間に配置される音導体と、音導体とパネル部の間に設けられて振動を吸収する緩衝部材と、を備えている」ことを特徴としている。
【０００３】
このような構成を有する機器の音響装置によれば、「低域用スピーカが発生する振動は、緩衝部材で吸収されるので、パネル部のビビリ音を防止でき、低域用スピーカの音質の向上が図れる」（明細書の段落［００２６］）という効果が期待される。
【特許文献１】特開平１０−２６２２９３号公報
【０００４】
図８は、従来のリアプロジェクションテレビを正面から見た図である。リアプロジェクションテレビ１００は、光学ブロック等を有するプロジェクション本体が収納されるキャビネット１０１と、このキャビネット１０１の前面に取り付けられるスクリーンフレーム１０２と、このスクリーンフレーム１０２に保持されるスクリーン１０３等を備えて構成されている。キャビネット１０１の内部には、図に表れない反射ミラーがスクリーン１０３と対向するように設けられており、光学ブロックから出射された映像光が反射ミラーで反射されて、スクリーン１０３の背面に投影されるように構成されている。
【０００５】
スクリーンフレーム１０２は、長方形をなす横長の枠体からなり、下辺の横枠部１０２ａは幅広に形成されている。この横枠部１０２ａには、横方向に延在された開口部が設けられており、その開口部は化粧パネル１０４によって覆われている。化粧パネル１０４の内側には、図示しないが、２個或いは４個のスピーカ装置が配置されている。これらのスピーカ装置から発射される音を前方に放射するために多数のスピーカ用微細孔１０５が、図９に要部を拡大して示すように、化粧パネル１０４の下部を除く略全面に亘って設けられている。多数のスピーカ用微細孔１０５は、全てが同じ大きさを有する丸孔からなっており、それらの微細孔１０５が縦方向及び横方向へ共に整列されて配置されている。
【０００６】
また、化粧パネル１０４の下部には、オフタイマ表示灯１０６とランプ表示灯１０７と電源表示灯１０８とリモコン受光部１１０が設けられている。オフタイマ表示灯１０６とランプ表示灯１０７と電源表示灯１０８は、微細孔１０５と略同じ大きさを有する円形として形成されている。これは、表示灯の性格から、その直径が小さくても光が点灯すれば、その機能を発揮することができるためである。一方、リモコン受光部１０９は、リモートコントロール装置からの信号を容易に受信できるようにするため十分な大きさを有する円形として形成されている。
【０００７】
多数のスピーカ用微細孔１０５は、それらを整列させて設けることにより、全体として１つの模様となる微細孔模様１１０を構成している。これに対して、３つの表示灯１０６〜１０８とリモコン受光部１０９は、微細孔模様１１０から少し離れた位置に１つのまとまりを持って形成された１つの表示灯模様１１１として構成されている。そのため、微細孔模様１１０と表示灯模様１１１は、それぞれに個性を持って構成されており、外観上で独立したデザインを有していた。そのため、リアプロジェクションテレビ１００を見る者によっては煩雑な感じを受けることがある。
【発明の開示】
【発明が解決しようとする課題】
【０００８】
解決しようとする問題点は、従来の映像表示装置では、スクリーンフレームに固定された化粧パネルが複数の模様を有していたため、映像表示装置を見る者に煩雑な感じを与えると共に、デザインの自由度を妨げる要因にもなっている、という点である。
【課題を解決するための手段】
【０００９】
本発明の映像表示装置は、映像表示部の周囲の少なくとも一部を覆う表示パネルを備え、その表示パネルの少なくとも一部に凹部の集合からなる模様を設けた映像表示装置において、模様を構成する凹部の１又は２以上に発光表示部を埋め込むと共に、その発光表示部の先端面を表示パネルの表面と同一面に形成し、その発光表示部を模様の一部に埋没させるようにした、ことを最も主要な特徴とする。
【発明の効果】
【００１０】
本発明の映像表示装置によれば、発光表示灯の形状や大きさ、配置等を化粧パネルの模様を形成する凹部に合わせ、その模様に同化させることにより、外観上の見栄えを向上することができると共に、デザイン上の自由度を高めることができる。
【発明を実施するための最良の形態】
【００１１】
表示パネルに設けた凹部の集合からなる模様の一部に発光表示部を同化させることにより、外観上の見栄えを向上することができ、デザインの自由度が高い映像表示装置を、簡単な構成によって実現した。
【００１２】
以下、本発明の実施の形態を、添付図面を参照して説明する。図１〜図７は、本発明の実施の形態の例を示すものである。即ち、図１は本発明の映像表示装置の第１の実施の例を示すリアプロジェクション装置の斜視図、図２は主要構成部の分解斜視図、図３は本発明の映像表示装置に係る化粧パネルの要部を示す正面図、図４は導光板が取り付けられた化粧パネルの背面の要部説明図、図５は導光板を取り除いた化粧パネルの背面の要部説明図、図６は導光板の斜視図、図７は図４のＸ−Ｘ線断面図である。
【００１３】
まず、本発明の映像表示装置に係るリアプロジェクション装置の第１の実施の例を示すリアプロジェクションテレビ１について図１及び図２を参照して説明する。リアプロジェクションテレビ１は、いわゆるテレビジョン受像機である。このリアプロジェクションテレビ１は、ＣＲＴやＬＣＤ素子等の画像表示デバイスを有する光学ブロックから映像光を出射し、その映像光を反射ミラーで反射してスクリーンに拡大投射することで映像（画像）を表示するものである。
【００１４】
このリアプロジェクションテレビ１は、図１〜図２に示すように、前面の全体が開口された開口部２ａを有するキャビネット２と、このキャビネット２に取り付けられる反射ミラー３と、この反射ミラー３によって反射された映像光が投影されるスクリーン４と、このスクリーン４を保持すると共にそのスクリーン４で開口部２ａを覆うようにしてキャビネット２の前面に取り付けられるスクリーンフレーム５と、キャビネット２の内部に搭載される図示しないプロジェクション本体と、このプロジェクション本体と反射ミラー３との間を仕切るようにしてキャビネット２に取り付けられるセパレータ７等を備えて構成されている。
【００１５】
キャビネット２は、前面に開口部２ａを有する中空の筐体からなっている。このキャビネット２は、プロジェクション本体が搭載される略長方形をなす載置面部２ｂと、この載置面部２ｂの長辺における開口部２ａと反対側の一端から略垂直をなすように連続されると共に略長方形をなすように形成された背面部２ｃと、この背面部２ｃに所定の傾斜角度をなして連続されると共に反射ミラー３が取り付けられる上面部２ｄと、載置面部２ｂの左側の短辺と略垂直をなして連続する左側面部２ｅと、載置面部２ｂの右側の短辺と略垂直をなして連続する右側面部２ｆとから構成されている。
【００１６】
キャビネット２の内面の背面部２ｃの上部には、複数のミラー係合片１１が設けられている。このミラー係合片１１に反射ミラー３の下辺部が係合される。また、上面部２ｄには、反射ミラー３の左辺部を保持する左側ミラーホルダ１５ａと、右辺部を保持する右側ミラーホルダ１５ｂと、上辺部を保持する上側ミラーホルダ１５ｃとが設けられている。これら３つのミラーホルダ１５ａ，１５ｂ，１５ｃは、それぞれ上面部２ｄにビス止めされて固定されている。反射ミラー３は、下辺の長さが上辺よりも短い略台形の板状に形成されている。この反射ミラー３の大きさは、上面部２ｄの形状に見合う形状及び大きさとされており、ミラー係合片１１と３つのミラーホルダ１５ａ，１５ｂ，１５ｃとによって保持されている。
【００１７】
キャビネット２の背面部２ｃの左右方向の一側には、図示しないプロジェクション本体の一部を構成する光源ブロックを冷却するために外気等を通過させる格子状の冷却窓１６が設けられている。そして、背面部２ｃの左右方向の他側には、プロジェクション本体の一部を構成するシャーシブロックの外部コネクタ部を露出させるコネクタ開口部１４が設けられている。プロジェクション本体は、上述した光源ブロック及びシャーシブロックと光学ブロックとから構成されている。光学ブロックはキャビネット２の載置面２ａの左右方向の略中央部に搭載され、光源ブロックはキャビネット２の開口部２ａから見て左右方向の一側に搭載され、シャーシブロックは開口部２ａから見て左右方向の他側に搭載される。
【００１８】
図示しないが、光学ブロックは、３つの液晶パネルを備えており、これに形成された画像が、クロスプリズムで１つの映像光として合成される。この映像光が、レンズ群を透過し反射ミラーで反射され、投射レンズから出射される。そして、この映像光が、反射ミラー３を介してスクリーン４に投射される。光源ブロックは、光学ブロックに光を照射する光源と、この光源を冷却する冷却装置を有している。この光源としては、例えば、高輝度放電ランプを挙げることができる。また、シャーシブロックは制御装置を有しており、この制御装置によって光学ブロックと光源ブロックが駆動制御される。
【００１９】
また、キャビネット２の内部には、プロジェクション本体と反射ミラー３との間を仕切るセパレータ７が取り付けられている。セパレータ７は、略Ｌ字状に折れ曲がった板体として構成されている。このセパレータ７は、略長方形をなす第１面部７ａと、その第１面部７ａの長辺の一端から所定の傾斜角度をなして連続する第２面部７ｂを有している。組立後、第１面部７ａは、プロジェクション本体の上面を覆い、第２面部７ｂは、プロジェクション本体６の前面を覆う。即ち、セパレータ７は、プロジェクション本体の上面及び前面を覆うことにより、プロジェクション本体の防塵の役割と、キャビネット２内の反射ミラー３側の空間部における空気の対流と、プロジェクション本体側の空間部における空気の対流を個別に作り出す間仕切りとしての役割を果たしている。更に、セパレータ７自体が補強部材となっており、リアプロジェクションテレビ１全体の強度を向上させる役割も果たしている。
【００２０】
セパレータ７の第１面部７ａの略中央には、投射開口部１８が設けられている。この投射開口部１８１から光学ブロックの投射レンズが突出され、その投射レンズが反射ミラー３に対向されている。セパレータ７の第２面部７ｂには、左右方向に所定の間隔を開けて２つのスピーカ設置穴が設けられている。このスピーカ設置穴にはスピーカ装置１９が嵌め込まれ、ネジ止め等の固定手段によって第２面部７ｂに固定されている。
【００２１】
スクリーンフレーム５は、表示パネルの一具体例を示すもので、長方形をなす横長の枠状部材からなっている。このスクリーンフレーム５は、長方形状のベース枠５ａと、このベース枠５ａの前面側に取り付けられる同じく長方形状をなす化粧枠５ｂとを備えて構成されている。ベース枠５ａは、キャビネット２の開口部に対応した大きさに設定されている。化粧枠５ｂは、ベース枠５ａの前面から露出される映像表示部であるスクリーン４の外周を囲うように配置されている。この化粧枠５ｂは、ベース枠５ａに嵌め込みによって固定してもよく、また、ビス止め等の固定手段によって固定してもよい。この化粧枠５ｂの長辺側の一辺である下辺の化粧部２０に、凹部の集合である多数の微細孔２１からなる微細孔模様２２が設けられている。
【００２２】
化粧部２０の微細孔模様２２を形成する微細孔２１は、スピーカ装置１９から放射される音声や楽音等の音を通過させる貫通孔と、この貫通孔を模して同様の形状を有する孔ではあるが、底のある有底孔との２種類の孔からなっている。そのうち、貫通孔はスピーカ装置１９やリモコン受光部その他の必要とされる装置の前方に集中的に配置されており、その他の孔は有底孔として形成されている。これら貫通孔と有底孔とを共同させ、両孔の組み合わせによって各種の模様を形成することができる微細孔模様２２が構成されている。この実施例で示す微細孔模様２２は、同じ直径を有する多数の貫通孔と有底孔を縦方向と横方向の双方に等間隔に整列させ、全体として横方向に長い帯状の模様として構成されている。
【００２３】
このような微細孔模様２２を設けた化粧枠５ｂの一部をなす化粧部２０の要部を、図３に拡大して示す。この実施例では、各微細孔２１は、直径が１ｍｍ〜２ｍｍ程度の円形の丸孔として形成されている。しかしながら、微細孔２１の直径は、１ｍｍ以下であってもよく、また、２ｍｍ以上であってもよい。また、微細孔２１の形状は、円形のものに限定されるものではなく、例えば、楕円形、四角形、長方形、菱形、三角形、五角形、六角形、七角形、八角形、十二角形、星形、ハート形その他各種形状のものを適用できることは勿論である。
【００２４】
これら微細孔２１の貫通孔のうち、適当な３つの貫通孔を、本願発明では、動作表示を行う発光表示部の一具体例を示すガイドライトが嵌合されるガイドライト孔２３，２４，２５として用いている。図３に示すように、第１のガイドライト孔２３には、所定時間が経過した後にタイマで電源をオフすることを表示するオフタイマ表示灯に対応された第１のガイドライト３１が嵌合されている。第２のガイドライト孔２４には、光源ブロックに内蔵されている光源がオンしていることを表示するランプ表示灯に対応された第２のガイドライト３２が嵌合されている。そして、第３のガイドライト孔２５には、リアプロジェクションテレビ１に電源が投入されていることを表示する電源表示灯に対応された第３のガイドライト３３が嵌合されている。
【００２５】
図３に示す符号３４は、リモコン受光部に対応された第４のガイドライトである。この第４のガイドライト３４は、化粧部２０に設けたリモコン受光穴２６に嵌合されている。リモコン受光穴２６は、図示しないリモートコントロール装置から出力される赤外線を容易に受光できるようにするため、微細孔２１よりも十分に大きな円形の穴として形成されている。この実施例では、１個のリモコン受光穴２６は、９個の微細孔２１の大きさに対応する穴として形成されており、多数の微細孔２１の中に埋没するように整列して配置されている。
【００２６】
図６に示すように、第１から第４までの４つのガイドライト３１，３２，３３，３４は、透明な樹脂材料によって形成された１枚の導光板４１に一体に形成され、１個の導光板ブロック４０を構成している。導光板４１は、アクリル樹脂によって形成された板の表面に特殊な加工を施すことにより、端面より入れた光を均一に面発光させるものである。この導光板４１は、適当な長さと幅及び厚さを有する板体として形成されており、その長手方向に所望の間隔をあけて４つのガイドライト３１〜３４が一体に設けられている。更に、導光板４１には、その長手方向において隣り合うガイドライト３１〜３４間を遮断するように切欠き４２が３箇所に設けられている。この切欠き４２は、隣のガイドライトを通過する光が入り込んでくるのを防止するためのものである。
【００２７】
更に、導光板４１の長手方向の両端部には、この導光板ブロック４０をスクリーンフレーム５に取り付けるための取付軸部４３がそれぞれ設けられている。各取付軸部４３は、円筒状の筒体からなり、これに嵌合される２つの取付軸５１が化粧部２０の背面に設けられている。
【００２８】
第１から第３までの３つのガイドライト３１，３２，３３は、その形状及び大きさを等しくした同一のものである。図６に断面して示すように、各ガイドライト３１〜３３は、光源４５からの光が入射される受光部３５ａの面積よりも入射された光が出射される発光部３５ｂの面積を小さくすると共に、その受光部３５ａと発光部３５ｂの間にテーパ部３５ｃを設けている。即ち、各ガイドライト３１〜３３は、軸方向において軸径を変化させた円柱形状をなしており、軸方向の一端には軸径の大きな受光部３５ａが設けられ、他端に軸径の小さな発光部３５ｂが設けられている。この発光部３５ｂの軸径が、化粧部２０の微細孔２１の直径と同一となるように形成されている。
【００２９】
各ガイドライト３１〜３３の受光部３５ａと発光部３５ｂの間に設定されたテーパ部３５ｃは、この実施例では、傾斜角度が２段階に変化する２段構造のテーパ部として形成されている。しかしながら、テーパ部３５ｃの傾斜面は、１段のみの構造であってもよく、また、３段以上に連続する傾斜面として構成してもよい。また、受光部３５ａの先端面を、例えば、梨地加工を施して梨地仕上げを行うことにより艶消し面として構成することができる。この場合には、間接照明的な手法によって発光表示を行うことができ、照明光を軟らかくすることができる。なお、梨地仕上げの方法としては、例えば、電気めっき、電解腐蝕、化学腐蝕、ワイヤブラシ法等の各種の方向を用いることができる。
【００３０】
第４のガイドライト３４は、その受光部３４ａの軸径が大きいために、軸径に変化を持たせることなく受光部３５ａの軸径を連続させた太さの均一な軸部として構成することができる。しかしながら、第４のガイドライト３４は、第１〜第３のガイドライト３１〜３３と同様に軸径の大きさを異にして、軸方向の一側に設けた小径の受光部３４ａと、図示しない軸方向の他側に設けた大径の発光部と、これらの間を連続するテーパ部として構成することもできる。
【００３１】
なお、第４のガイドライト３４の発光部３４ａを、その全周を導光板４１に連続させると、発光部３４ａから導光板４１に逃げる光の量が多くなる。そこで、この実施例では、発光部３４ａの周囲に円弧状の穴４６を設けるようにした。これにより、第４のガイドライト３４が、２つの円弧穴４６，４６の間に設定された継ぎ手部のみによって支持されるため、発光部３４ａから導光板４１に逃げる光の量を少なくすることができる。
【００３２】
このような構成を有する導光板ブロック４０を取り付けるため、図４及び図５に示すように、スクリーンフレーム５の化粧部２０の背面には導光板取付部５０が設けられている。導光板取付部５０には、２つの取付軸５１，５１と、３つの表示灯嵌合軸５２，５３，５４と、１つのリモコン受光部嵌合軸５５と、４つの嵌合軸５２〜５５の間を仕切る３つの仕切り壁５６，５７，５８が設けられている。２つの取付軸５１，５１は、導光板ブロック４０の２つの取付軸部４３，４３と対応する位置に設けられており、２つの取付軸５１，５１に２つの取付軸部４３，４３を嵌合することにより、導光板取付部５０の所定位置に導光板ブロック４０が位置決めされる。そして、位置決めされた導光板ブロック４０は、図示しない固定ねじによってスクリーンフレーム５にねじ止めされる。
【００３３】
また、導光板取付部５０に導光板ブロック４０を位置決めした状態において、第１から第３までの３つのガイドライト３１〜３３と対応する位置に３つの表示灯嵌合軸５２，５３，５４が設けられ、第４のガイドライト３４と対応する位置にリモコン受光部嵌合軸５５が設けられている。３つの表示灯嵌合軸５２，５３，５４には、３つのガイドライト３１〜３３の発光部３５ｂ及びテーパ部３５ｃに対応した形状を有するガイドライト孔２３，２４，２５が設けられている。各ガイドライト孔２３〜２５は、発光部３５ｂが挿通される小径孔部２７ａと、テーパ部３５ｃが挿通される大径孔部２７ｂとからなり、各孔部２７ａ，２７ｂの背面側には、発光部３５ｂ及びテーパ部３５ｃの挿入を容易にするための適当な大きさの面取り部が設けられている。そして、リモコン受光部嵌合軸５５には、第４のガイドライト３４の発光部３４ａに対応した形状を有するガイドライト孔２６が設けられている。
【００３４】
３つの仕切り壁５６，５７，５８は、隣り合う嵌合軸５２〜５５の間を仕切るように、それぞれ略中間位置に配置されている。これらの仕切り壁５６〜５８は、組み付けられた導光板ブロック４０の３つの切欠き４２にそれぞれ挿入され、洩れた光が隣のガイドライトに影響を与えないようにしている。
【００３５】
図７に示すように、第１から第３までの３つのガイドライト３１〜３３の内側には、それぞれ光源４５が配置される。一方、第４のガイドライト３４の内側には、リモートコントロール装置の受光部が配置される。また、各ガイドライト３１〜３４の先端面は、スクリーンフレーム５の表面と同一平面となるように設定されている。
【００３６】
なお、スクリーン４は、反射ミラー３側に配置されるフレネルレンズと、このフレネルレンズの反射ミラー３と反対側に配されるレンキュラーレンズとの組合せにより構成されている。このスクリーン４がベース枠５ａと図示しないスクリーン枠の間に介在され、そのスクリーン枠をベース枠５ａにビス止めすることにより、スクリーン４がスクリーンフレーム５に保持されている。
【００３７】
このような構成を有するリアプロジェクションテレビ１において、３つのガイドライト３１〜３３からなるオフタイマ表示灯とランプ表示灯と電源表示灯は、その全てが微細孔模様２２の中に埋没され、その微細孔２１の１つとしてそれぞれ存在している。そのため、意匠上の違和感を操作者に与えることがなく、スッキリした外観上の印象を操作者に与えることができる。
【００３８】
一方、３つのガイドライト３１〜３３のいずれかが点灯されると、その明るさの変化によって点灯状態が明確となる。そのため、点灯面積が小さい微細孔と同様の大きさを有するガイドライト３１〜３３であっても、その点灯状態を操作者にはっきりと知らせることが可能となる。
【００３９】
以上説明してきたように、本発明によれば、ガイドライトの形状や配置等をスピーカ用微細孔へ同化させることにより、その部分の外観上の見栄えを向上することができる。そのため、デザインからの自由度を高め、斬新なデザインの創出に寄与することが可能となる。
【００４０】
なお、本発明は前述しかつ図面に示した実施の形態に限定されるものではなく、その要旨を逸脱しない範囲内で種々の変形実施が可能である。例えば、前記実施の例においては、映像表示装置としてリアプロジェクションテレビを適用した例について説明したが、液晶テレビ、プラズマテレビ、ブラウン管テレビ等のテレビは勿論のこと、パーソナルコンピュータや遊技機のディスプレイ装置、その他の映像表示部を有する各種の映像表示装置に適用できるものである。
【図面の簡単な説明】
【００４１】
【図１】本発明の映像表示装置の第１の実施の例に係るリアプロジェクションテレビを正面側から見た斜視図である。
【図２】図１に示すリアプロジェクションテレビの主要構成部を分解した斜視図である。
【図３】図１に示すリアプロジェクションテレビに係るスクリーンフレームの化粧部の要部を拡大した説明図である。
【図４】図１に示すリアプロジェクションテレビに係るスクリーンフレームの化粧部に取り付けられた導光板の説明図である。
【図５】図１に示すリアプロジェクションテレビに係るスクリーンフレームの化粧部から導光板を取り除いた導光板取付部の説明図である。
【図６】本発明の映像表示装置に係る導光板の一実施例を示す斜視図である。
【図７】図４のＸ−Ｘ線部分の断面図である。
【図８】従来のリアプロジェクションテレビを示す説明図である。
【図９】従来のリアプロジェクションテレビに係るスクリーンフレームの化粧部の要部を示す説明図である。
【符号の説明】
【００４２】
１…リアプロジェクションテレビ（映像表示装置）、  ２…キャビネット、  ２ａ…開口部、  ３…反射ミラー、  ４…スクリーン（映像表示部）、  ５…スクリーンフレーム（表示パネル）、  ７…セパレータ、  １９…スピーカ装置、  ２０…化粧部、  ２１…微細孔、  ２２…微細孔模様、  ２３，２４，２５…ガイドライン孔、  ２６…リモコン受光穴、  ３１，３２，３３，３４…ガイドライト（発光表示部）、  ３５ａ…受光部、  ３５ｂ…発光部、  ３５ｃ…テーパ部、  ４０…導光板ブロック、  ４１…導光板、  ４２…切欠き、  ４５…光源、  ５０…導光板取付部、  ５１…取付軸、  ５２，５３，５４…表示灯嵌合軸、  ５５…リモコン受光部嵌合軸、  ５６，５７，５８…仕切り壁
【図１】
2008148157.tif 000003
【図２】
2008148157.tif 000004
【図３】
2008148157.tif 000005
【図４】
2008148157.tif 000006
【図５】
2008148157.tif 000007
【図６】
2008148157.tif 000008
【図７】
2008148157.tif 000009
【図８】
2008148157.tif 000010
【図９】
2008148157.tif 000011